(57)【要約】      （修正有）【課題】中央縦方向に折りたたみ線を設け折りたたみ可能にするとともに、折り畳み状態を維持する掛合部と吊下部とを設けてなる包装用台紙を提供する。【解決手段】複数個の展示商品を左右縦二列に取り外し可能に取り付け、中央吊下部３により吊り下げて商品陳列用に使用する包装用台紙１において、中央縦方向に折り畳み線４を設け、折り畳み線４を境に左右の台紙を裏面部が相対するように折り畳み可能にすると共に、折り畳み状態で相対する左右の台紙部分に、折り畳み状態を維持する掛合部（切込線１３，１４）と吊下部２０とを設けてなる包装用台紙。【選択図】図１
0003118214.tif 000002
【実用新案登録請求の範囲】
【請求項１】
表面部に複数個の展示商品を左右縦二列に取り外し可能に取り付け、中央吊下部により吊り下げて商品陳列用に使用する包装用台紙において、中央縦方向に折り畳み線を設け、折り畳み線を境に左右の台紙を裏面部が相対するように折り畳み可能にすると共に、折り畳み状態で相対する左右の台紙部分に、折り畳み状態を維持する掛合部と吊下部とを設けてなる包装用台紙。
【請求項２】
請求項１に記載の包装用台紙において、折り畳み線がミシン目線又は間欠的な切込線からなる包装用台紙。
【請求項３】
請求項１又は２に記載の包装用台紙において、折り畳み線が連続した半切取線からなる包装用台紙。
【請求項４】
請求項１、２又は３に記載の包装用台紙において、折り畳み線を横断する方向に横折り畳み線を設けてなる包装用台紙。
【請求項５】
請求項４に記載の包装用台紙において、横折り畳み線がミシン目線又は間欠的な切込線からなる包装用台紙。
【請求項６】
請求項４又は５に記載の包装用台紙において、横折り畳み線が連続した半切取線からなる包装用台紙。
【請求項７】
請求項１乃至６のいずれかに記載の包装用台紙において、掛合部を折り畳み状態で相対する左右の台紙の縁部分に設けてなる包装用台紙。
【請求項８】
請求項１乃至７に記載の包装用台紙において、掛合部が掛止片を形成する切込線からなる包装用台紙。
【請求項９】
請求項８に記載の包装用台紙において、掛合部が台紙縁辺に傾斜して設けた切込線からなる包装用台紙。
【請求項１０】
請求項９に記載の包装用台紙において、掛合部が三角形の掛止片を形成する切込線からなる包装用台紙。
【請求項１１】
請求項９に記載の包装用台紙において、掛合部が円弧を有する掛止片を形成する切込線からなる包装用台紙。
【請求項１２】
請求項９乃至１１のいずれかに記載の包装用台紙において、掛止片を形成する一方の掛合部に相対する他方の掛合部がほぼ水平な切込線からなる包装用台紙。
【請求項１３】
請求項９乃至１１のいずれかに記載の包装用台紙において、一方の掛合部が台紙の縁部分に向かって山型の掛止片を形成すると共に、相対する他方の掛合部がほぼ垂直な切込線からなる包装用台紙。
【請求項１４】
請求項９乃至１２のいずれかに記載の包装用台紙において、切込線がミシン目線、間欠的又は連続する切込からなる包装用台紙。
【請求項１５】
請求項１乃至７のいずれかに記載の包装用台紙において、掛合部が貼着テープからなる包装用台紙。
【請求項１６】
請求項１乃至７のいずれかに記載の包装用台紙において、掛合部が面ファスナーからなる包装用台紙。
【請求項１７】
請求項１乃至７のいずれかに記載の包装用台紙において、掛合部が互いに嵌着する雄雌嵌合体からなる包装用台紙。
【請求項１８】
請求項１乃至１７のいずれかに記載の包装用台紙において、掛合部が左右の台紙の複数個所に設けてある包装用台紙。
【請求項１９】
請求項１乃至１８のいずれかに記載の包装用台紙において、吊下部が互いに吊り具を挿通可能に左右の台紙部分に設けた透孔からなる包装用台紙。
【考案の詳細な説明】
【技術分野】
【０００１】
本考案は、表面部に複数個の商品を左右縦二列に取り外し可能に取り付けて展示し、中央吊下部により吊り下げて商品陳列用に使用する包装用台紙に関する。
【背景技術】
【０００２】
従来、この種の包装用台紙は、商品陳列棚などに吊り下げて左右縦二列に取り外し可能に商品を展示し、来客が商品を台紙から自由に取り外して購入することができるようにしたもので、展示スペースを有効に使用することができるものである。
【考案の開示】
【考案が解決しようとする課題】
【０００３】
しかしながら、商品陳列スペースは売り場の状況によって変わるから、例えば、台紙の半分の幅の狭い展示スペースに同数の商品を展示するには、長さを二倍にした別の台紙を用意して商品を一列に取り付けて吊り下げなければならないため、展示作業が面倒なだけではなく、お客にとって商品の取り外しも容易でない課題があった。
【課題を解決するための手段】
【０００４】
そこで本考案は、請求項１に記載のように、表面部に複数個の展示商品を左右縦二列に取り外し可能に取り付け、中央吊下部により吊り下げて商品陳列用に使用する包装用台紙において、中央縦方向に折り畳み線を設け、折り畳み線を境に左右の台紙を裏面部が相対するように折り畳み可能にすると共に、折り畳み状態で相対する左右の台紙部分に、折り畳み状態を維持する掛合部と吊下部とを設けてなる包装用台紙を提供するものである。
【０００５】
また、本考案は、請求項２に記載のように、請求項１に記載の包装用台紙において、折り畳み線がミシン目線又は間欠的な切込線からなる包装用台紙を提供するものである。
また、本考案は、請求項３に記載のように、請求項１又は２に記載の包装用台紙において、折り畳み線が連続した半切取線からなる包装用台紙を提供するものである。
【０００６】
また、本考案は、請求項４に記載のように、請求項１、２又は３に記載の包装用台紙において、折り畳み線を横断する方向に横折り畳み線を設けてなる包装用台紙を提供するものである。
また、本考案は、請求項５に記載のように、請求項４に記載の包装用台紙において、横折り畳み線がミシン目線又は間欠的な切込線からなる包装用台紙を提供するものである。
【０００７】
また、本考案は、請求項６に記載のように、請求項４又は５に記載の包装用台紙において、横折り畳み線が連続した半切取線からなる包装用台紙を提供するものである。
また、本考案は、請求項７に記載のように、請求項１乃至６のいずれかに記載の包装用台紙において、掛合部を折り畳み状態で相対する左右の台紙の縁部分に設けてなる包装用台紙を提供するものである。
【０００８】
また、本考案は、請求項８に記載のように、請求項１乃至７のいずれかに記載の包装用台紙において、掛合部が掛止片を形成する切込線からなる包装用台紙を提供するものである。
また、本考案は、請求項９に記載のように、請求項８に記載の包装用台紙において、掛合部が台紙縁辺に傾斜して設けた切込線からなる包装用台紙を提供するものである。
【０００９】
また、本考案は、請求項１０に記載のように、請求項９に記載の包装用台紙において、掛合部が三角形の掛止片を形成する切込線からなる包装用台紙を提供するものである。
また、本考案は、請求項１１に記載のように、請求項９に記載の包装用台紙において、掛合部が円弧を有する掛止片を形成する切込線からなる包装用台紙を提供するものである。
【００１０】
また、本考案は、請求項１２に記載のように、請求項９乃至１１のいずれかに記載の包装用台紙において、掛止片を形成する一方の掛合部に相対する他方の掛合部がほぼ水平な切込線からなる包装用台紙を提供するものである。
また、本考案は、請求項１３に記載のように、請求項９乃至１１のいずれかに記載の包装用台紙において、一方の掛合部が台紙の縁部分に向かって山型の掛止片を形成すると共に、相対する他方の掛合部がほぼ垂直な切込線からなる包装用台紙を提供するものである。
また、本考案は、請求項１４に記載のように、請求項９乃至１２のいずれかに記載の包装用台紙において、切込線がミシン目線、間欠的又は連続する切込からなる包装用台紙を提供するものである。
【００１１】
また、本考案は、請求項１５に記載のように、請求項１乃至７のいずれかに記載の包装用台紙において、掛合部が貼着テープからなる包装用台紙を提供するものである。
また、本考案は、請求項１６に記載のように、請求項１乃至７のいずれかに記載の包装用台紙において、掛合部が面ファスナーからなる包装用台紙を提供するものである。
【００１２】
また、本考案は、請求項１７に記載のように、請求項１乃至７のいずれかに記載の包装用台紙において、掛合部が互いに嵌着する雄雌嵌合体からなる包装用台紙を提供するものである。
また、本考案は、請求項１８に記載のように、請求項１乃至１７のいずれかに記載の包装用台紙において、掛合部が左右の台紙の複数個所に設けてある包装用台紙を提供するものである。
また、本考案は、請求項１９に記載のように、請求項１乃至１８のいずれかに記載の包装用台紙において、吊下部が互いに吊り具を挿通可能に左右の台紙部分に設けた透孔からなる包装用台紙を提供するものである。
【考案の効果】
【００１３】
本考案に係る包装用台紙によれば、請求項１に記載のように、表面部に複数個の展示商品を左右縦二列に取り外し可能に取り付け、中央吊下部により吊り下げて商品陳列用に使用する包装用台紙において、中央縦方向に折り畳み線を設け、折り畳み線を境に左右の台紙を裏面部が相対するように折り畳み可能にすると共に、折り畳み状態で相対する左右の台紙部分に、折り畳み状態を維持する掛合部と吊下部とを設けてなる構成を有することにより、中央縦方向に設けた折り畳み線を境に左右の台紙を裏面部が相対するように折り畳むことによって、台紙、台紙の吊下長さ、商品の数、商品の取付手段を変えることなくそのまま台紙の幅を半分にして展示することができ、陳列スペースの幅を簡単に半分にすることができる効果があり、折り畳み状態で相対する左右の台紙部分に設けた掛合部によって、左右の台紙を折り畳み状態に維持することができる効果があり、更に、折り畳み状態で相対する左右の台紙部分に設けた吊下部により台紙を吊り下げることによって、台紙の自重により左右の台紙を折り畳み状態に維持するのを補助する効果がある。
【００１４】
また、本考案は、請求項２に記載のように、請求項１に記載の包装用台紙において、折り畳み線がミシン目線又は間欠的な切込線からなる構成を有することにより、台紙を折り畳み線を境に容易且つ確実に折り畳むことができると共に、例えば、一面側の商品が売れてしまった場合等に、台紙を折り畳み線で容易に切り離して使用することができる効果がある。
【００１５】
また、本考案は、請求項３に記載のように、請求項１又は２に記載の包装用台紙において、折り畳み線が連続した半切取線からなる構成を有することにより、折り畳み線を境に台紙を容易且つ確実に折り畳むことができると共に、必要に応じて容易且つ確実に切り離すことができる効果がある。
【００１６】
また、本考案は、請求項４に記載のように、請求項１、２又は３に記載の包装用台紙において、折り畳み線を横断する方向に横折り畳み線を設けてなる構成を有することにより、台紙を横折り畳み線を境に小嵩に折り畳んで、流通経路での包装や搬送を容易にする効果がある。
【００１７】
また、本考案は、請求項５に記載のように、請求項４に記載の包装用台紙において、横折り畳み線がミシン目線又は間欠的な切込線からなる構成を有することにより、台紙を横折り畳み線を境に容易に小嵩に折り畳んむことができると共に、例えば、横折り畳み線から下面側の商品が売れてしまった場合等に、必要に応じて台紙を横折り畳み線で容易に切り離して使用することができる効果がある。
【００１８】
また、本考案は、請求項６に記載のように、請求項４又は５に記載の包装用台紙において、横折り畳み線が連続した半切取線からなる構成を有することにより、台紙を横折り畳み線で容易に折り畳むことができると共に、必要に応じて容易に切り離して使用することができる効果がある。
【００１９】
また、本考案は、請求項７に記載のように、請求項１乃至６のいずれかに記載の包装用台紙において、掛合部を折り畳み状態で相対する左右の台紙の縁部分に設けてなる構成を有することにより、台紙の折り畳み状態を縁部分で確実に維持することができる効果がある。
【００２０】
また、本考案は、請求項８に記載のように、請求項１乃至７のいずれかに記載の包装用台紙において、掛合部が掛止片を形成する切込線からなる構成を有することにより、切込線によって簡単に掛合部を形成することができる効果がある。
【００２１】
また、本考案は、請求項９に記載のように、請求項８に記載の包装用台紙において、掛合部が台紙縁辺に傾斜して設けた切込線からなる構成を有することにより、台紙縁辺に傾斜して設けた切込線によって上向き又は下向きの掛止片を容易に形成することができる効果がある。
【００２２】
また、本考案は、請求項１０に記載のように、請求項９に記載の包装用台紙において、掛合部が三角形の掛止片を形成する切込線からなる構成を有することにより、掛止めし易い三角形の鋭角的な掛止片を形成することができる効果がある。
【００２３】
また、本考案は、請求項１１に記載のように、請求項９に記載の包装用台紙において、掛合部が円弧を有する掛止片を形成する切込線からなる構成を有することにより、丸みのある掛止片が他のものに引っ掛かるのを防止することができる効果がある。
【００２４】
また、本考案は、請求項１２に記載のように、請求項９乃至１１のいずれかに記載の包装用台紙において、掛止片を形成する一方の掛合部に相対する他方の掛合部がほぼ水平な切込線からなる構成を有することにより、ほぼ水平な切込線からなる掛合部に掛止片を容易に掛止めできる効果がある。
また、本考案は、請求項１３に記載のように、請求項９乃至１１のいずれかに記載の包装用台紙において、一方の掛合部が台紙の縁部分に向かって山型の掛止片を形成すると共に、相対する他方の掛合部がほぼ垂直な切込線からなる構成を有することにより、山型の掛止片をほぼ垂直な切込線からなる掛合部に差し込むだけで簡単に掛止めできる効果がある。
【００２５】
また、本考案は、請求項１４に記載のように、請求項９乃至１２のいずれかに記載の包装用台紙において、切込線がミシン目線、間欠的又は連続する切込からなる構成を有することにより、台紙を折り畳んで使用する際に必要に応じて切込線を切り開いて使用することができる効果がある。
【００２６】
また、本考案は、請求項１５に記載のように、請求項１乃至７のいずれかに記載の包装用台紙において、掛合部が貼着テープからなる構成を有することにより、貼着テープで台紙を折り畳むと同時に容易に接合することができる効果がある。
【００２７】
また、本考案は、請求項１６に記載のように、請求項１乃至７のいずれかに記載の包装用台紙において、掛合部が面ファスナーからなる構成を有することにより、面ファスナーにより台紙を折り畳むと同時に容易に接合することができる効果がある。
【００２８】
また、本考案は、請求項１７に記載のように、請求項１乃至７のいずれかに記載の包装用台紙において、掛合部が互いに嵌着する雄雌嵌合体からなる構成を有することにより、雄雌嵌合体を係合させることにより容易に折り畳み状態にすることができる効果がある。
【００２９】
また、本考案は、請求項１８に記載のように、請求項１乃至１７のいずれかに記載の包装用台紙において、掛合部が左右の台紙の複数個所に設けてある構成を有することにより、複数個所で包装用台紙を掛合わせて折り畳み状態を確実に維持することができる。
【００３０】
また、本考案は、請求項１９に記載のように、請求項１乃至１８のいずれかに記載の包装用台紙において、吊下部が折り畳み状態で吊り具を挿通可能に左右の台紙部分に設けた吊下孔からなる構成を有することにより、台紙を折り畳んで吊下孔で吊り下げることにより、台紙の自重により折り畳み状態を維持するのを補助することができる効果がある。
【考案を実施するための最良の形態】
【００３１】
図示の実施例のおいて、１は台紙本体で、その表面部に左右縦二列に展示商品を取り外し可能に取り付ける取付部２が多数設けてある。展示商品は、比較的軽くて小型の香辛料を収納した袋体等からなる。
図示の実施例の場合、取付部２はそれぞれ横長の透孔からなり、裏面部に取付部２を横断して表面部側に貼着面を有する貼着テープを貼り付け、粘着テープによって表側に展示商品を取り外し可能に貼り付け、台紙本体１の上端部中央に設けた吊下孔３により商品陳列棚などの吊下棒に吊り下げて使用することができるように構成してある。
【００３２】
台紙本体１には、中央を縦断する折り畳み線４が設けてあり、折り畳み線４から裏側を合わせるように全体を折り畳むことができるように構成してある。
折り畳み線４は、ミシン目線又は間欠的な切込線、或いは、その上又は単独で接続部分の紙厚の半分程度まで切り開いた半切取線で構成し、台紙本体１を折り畳み線４を境に容易且つ確実に折り畳むことができると共に、例えば、一面側の商品が売れてしまった場合等に、台紙を折り畳み線で容易に切り離して他側面だけで展示使用することができるように構成してある。
【００３３】
また、本考案は、折り畳み線４を横断する方向に横折り畳み線５，６，７が設けてあり、台紙本体１を横折り畳み線５，６，７を境に小嵩に折り畳んで、流通経路での包装や搬送を容易にする効果がある。
横折り畳み線５は、台紙本体１の上端部と前記取付部２との境目に設けてあり、切り離す必要がないから凹溝状の折り畳み線からなる。また、横折り畳み線５から折り畳んだとき台紙本体１の上端部が嵌合する位置に上向きに山形の切込１ａが設けてある。
【００３４】
これに対して、横折り畳み線６，７はそれぞれ適宜な複数個間隔で取付孔２の間に設けてあり、ミシン目線又は間欠的な切込線、或いは、その上又は単独で接続部分の紙厚の半分程度まで切り開いた半切取線で構成し、台紙本体１を横折り畳み線６，７を境に容易且つ確実に折り畳むことができると共に、例えば、横折り畳み線６，７から下面側の商品が売れてしまった場合等に、必要に応じて台紙本体１を横折り畳み線６，７で容易に切り離して使用することができるように構成してある。
【００３５】
また、本考案は、折り畳み状態で相対する左右の台紙部分８，９に、折り畳み状態を維持する掛合部１０と吊下部２０とを設けてあり、中央縦方向に設けた折り畳み線４を境に左右の台紙８，９を裏面部が相対するように折り畳むことによって、台紙、台紙の吊下長さ、商品の数、商品の取付手段を変えることなくそのまま台紙の幅を半分にして展示することができ、陳列スペースの幅を簡単に半分にすることができると共に、掛合部１０によって左右の台紙を折り畳み状態に維持することができるように構成してある。
【００３６】
また、折り畳み状態で相対する左右の台紙部分８，９に設けた吊下部２０により台紙を吊り下げることによって、台紙の自重により左右の台紙を折り畳み状態に維持するのを補助する効果がある。
図示の実施例の場合、吊下部２０は、折り畳み状態で吊り具を挿通可能に左右の台紙部分に設けた吊下孔からなり、台紙を折り畳んで吊下孔で吊り下げることにより、左右の台紙部分８，９の自重により折り畳み状態を維持するのを補助することができる。
【００３７】
上記の構成からなる実施例において、掛合部１０は折り畳み状態で相対する左右の台紙部分８，９の縁部に設けてあり、台紙の折り畳み状態を縁部で確実に維持することができるように、上中下の三個所に設けてある。
【実施例１】
【００３８】
図１及び図２に記載の実施例１の場合、掛合部１０は折り畳み状態で相対する左右の台紙部分８，９の縁部分１１，１２の近傍に設けてある。
実施例１の三個所の掛合部は、いずれも同一の構成からなり、低い位置に設けた斜め上方に向かう直線的な切込線１４の上端部と、高い位置に斜め下方に設けた切込線１３の下端部が折り畳み状態で一致する高さに来るように設けてある。
【００３９】
また、切込線はミシン目線、間欠的又は連続する切込から構成することができ、台紙を折り畳んで使用する際に必要に応じて切込線を切り開いて使用することができる。
図示の実施例１において、左側台紙部分８の低い位置に設けた直線的に上に向かう切込線１４を切り開いて下向きの三角形の掛止片１５を形成することができると共に、右側台紙部分９の高い位置に設けた切込線１３を切り開くことにより上向きの三角形の掛止片１６を形成することができるように構成してある。
【００４０】
下向きの掛止片１５を左側台紙部分９の切込線１３の裏側から下向きに差し込むと、図２の拡大部分に記載のように、掛止片１５の裏側部１５ａが切込線１３から左側台紙部分９の表面に露出すると共に、右側台紙部分９の下から上に向かって突出する掛止片１６が切込線１４から左側台紙部分９の表面側に露出して掛止め片１５と係合し、台紙本体１の全体が半折り状態で固定されることとなる。
この状態で、半折り状態の台紙の上端部中央に位置して折り重なる部分に設けた吊下孔２０によって全体を半折り状態で吊り下げることができるのである。
【実施例２】
【００４１】
図３及び図４に記載の実施例２の場合、実施例１と同様に、掛合部１０は折り畳み状態で相対する左右の台紙部分８，９の縁部分１１，１２の近傍に設けてある。
実施例２の三個所の掛合部は、いずれも同一の構成からなり、低い位置に設けた斜め上方に向かう直線的な切込線１４の上端部と、高い位置にほぼ水平方向に設けた切込線１７の高さが折り畳み状態で一致する高さに来るように設けてある。
【００４２】
図示の実施例２において、左側台紙部分８の低い位置に設けた直線的に上に向かう切込線１４を切り開いて下向きの三角形の掛止片１５を形成することができると共に、右側台紙部分９の高い位置に設けた切込線１７を切り開くことにより上向きの三角形の掛止片１８を形成することができるように構成してある。
【００４３】
下向きの掛止片１５を左側台紙部分９の切込線１７の裏側から下向きに差し込むと、図４の拡大部分に記載のように、掛止片１５の裏側部１５ａが切込線１７から左側台紙部分９の表面に露出すると共に、右側台紙部分９の下がわの掛止片１８が切込線１４から左側台紙部分９の表面側に露出して三角形の掛止め片１５と重なる位置で係合し、台紙本体１の全体が半折り状態で固定されることとなる。
この状態で、半折り状態の台紙の上端部中央に位置して折り重なる部分に設けた吊下孔２０によって全体を半折り状態で吊り下げることができるのである。
【実施例３】
【００４４】
図５及び図６に記載の実施例３の場合、先の実施例と同様に、掛合部１０は折り畳み状態で相対する左右の台紙部分８，９の縁部分１１，１２の近傍に設けてある。
実施例３の三個所の掛合部は、いずれも同一の構成からなり、低い位置に設けた斜め上方に向かう円弧状の切込線１９の上端部と、高い位置に斜め下方に設けた円弧状の切込線１３の下端部が折り畳み状態で一致する高さに来るように設けてある。
【００４５】
図示の実施例３において、左側台紙部分８の低い位置に設けた円弧状の上に向かう切込線１９を切り開いて下向きの４分の１円弧状の掛止片２１を形成することができると共に、右側台紙部分９の高い位置に設けた切込線２２を切り開くことにより上向きの円弧状の掛止片２３を形成することができるように構成してある。
【００４６】
下向きの掛止片２１を左側台紙部分９の切込線２２の裏側から下向きに差し込むと、図６の拡大部分に記載のように、掛止片２１の裏側部２１ａが切込線２２から左側台紙部分９の表面に露出すると共に、右側台紙部分９の下から上に向かって突出する掛止片２３が切込線１９から左側台紙部分９の表面側に露出して掛止め片２１と係合し、台紙本体１の全体が半折り状態で固定されることとなる。
この状態で、半折り状態の台紙の上端部中央に位置して折り重なる部分に設けた吊下孔２０によって全体を半折り状態で吊り下げることができるのである。
【実施例４】
【００４７】
図７及び図８に記載の実施例４の場合、先の実施例と同様に、掛合部１０は折り畳み状態で相対する左右の台紙部分８，９の縁部分１１，１２の近傍に設けてある。
実施例４の三個所の掛合部は、いずれも同一の構成からなり、低い位置に設けた斜め上方に向かう円弧状の切込線１９の上端部と、高い位置にほぼ水平方向に設けた切込線１７の高さが折り畳み状態で一致する高さに来るように設けてある。
図示の実施例４において、左側台紙部分８の低い位置に設けた円弧状に上に向かう切込線１９を切り開いて下向きの４分の１円弧状
の掛止片２１を形成することができると共に、右側台紙部分９の高い位置に設けた切込線１７を切り開くことにより上向きの円弧状の掛止片１８を形成することができるように構成してある。
【００４８】
下向きの掛止片２１を左側台紙部分９の切込線１７の裏側から下向きに差し込むと、図８の拡大部分に記載のように、掛止片２１の裏側部２１ａが切込線１７から左側台紙部分９の表面に露出すると共に、右側台紙部分９の下がわの掛止片１８が切込線１９から左側台紙部分９の表面側に露出して円弧状の掛止め片２１と重なる位置で係合し、台紙本体１の全体が半折り状態で固定されることとなる。
この状態で、半折り状態の台紙の上端部中央に位置して折り重なる部分に設けた吊下孔２０によって全体を半折り状態で吊り下げることができるのである。
【実施例５】
【００４９】
図９及び図１０に記載の実施例５の場合、先の実施例と同様に、掛合部１０は折り畳み状態で相対する左右の台紙部分８，９の縁部分１１，１２の近傍に設けてある。
実施例５の三個所の掛合部は、いずれも同一の構成からなり、一方の掛合部が台紙の縁部分１１に向かって山型の掛止片３０を形成すると共に、相対する他方の台紙９の掛合部がほぼ垂直な切込線３２からなり、図１０に記載のように、山型の掛止片３０をほぼ垂直な切込線３２からなる掛合部に差し込むだけで簡単に掛止めすることができる。２９，３１は山型の係止片３０を形成する切込線であり、山型は図示の台形に限らず三角形、四角形、円弧形、逆台形等の形態にすることができ、ほぼ垂直な切込線３０は係止片３０を差し込むことができる範囲内で３０度程度まで傾斜していても良い。
【実施例６】
【００５０】
図１１に一部拡大して示す実施例６は、台紙本体１の裏側に掛合部１０として貼着テープ２４を設けた構成からなり、貼着テープ２４上に貼付した上紙２５を引きはがして、台紙本体１を折り畳み線４から半分に折り畳むと、同時に貼着テープ２４により裏面側を容易に接合することができる。
【実施例７】
【００５１】
図１２に一部拡大して示す実施例７は、台紙本体１の裏側に掛合部１０として面ファスナー２５、２６を設けた構成からなり、台紙本体１を折り畳み線４から半分に折り畳むと、同時に面ファスナー２５、２６が密着して裏面側を容易に接合することができる効果がある。
【実施例８】
【００５２】
図１３に一部拡大して示す実施例８は、台紙本体１の裏側に掛合部１０として互いに嵌着する雌雄嵌合体２７、２８からなる構成を有することにより、台紙本体１を折り畳み線４から半分に折り畳むと、同時に雌雄嵌合体２７，２８が密着して嵌合し裏面側を容易に接合することができる効果がある。
【図面の簡単な説明】
【００５３】
【図１】本考案に係る包装用台紙の一実施例の正面図。
【図２】その実施例の一使用態様を示す一部拡大斜視図。
【図３】他の一実施例の正面図。
【図４】その実施例の一使用態様を示す一部拡大斜視図。
【図５】他の一実施例の正面図。
【図６】その実施例の一使用態様を示す一部拡大斜視図。
【図７】他の一実施例の正面図。
【図８】その実施例の一使用態様を示す一部拡大斜視図。
【図９】他の一実施例の要部を拡大して示す正面図。
【図１０】その実施例の一使用態様を示す一部拡大斜視図。
【図１１】他の一実施例の要部を拡大して示す斜視図。
【図１２】他の一実施例の要部を拡大して示す斜視図。
【図１３】他の一実施例の要部を拡大して示す斜視図。
【符号の説明】
【００５４】
１      台紙本体
２      取付部
３      吊下孔
４      折り畳み線
５，６，７      横折り畳み線
８      左側台紙部分
９      右側台紙部分
１０    掛合部
１１，１２    縁部分
１３，１４    切込線
１５    掛止片
１６    掛止片
１７    切込線
１８    掛止片
１９    切込線
２０    吊下部
２１    掛止片
２２    切込線
２３    掛止片
２４    貼着テープ
２５，２６    面ファスナー
２７，２８    雌雄嵌合体
２９    切込線
３０    掛止片
３１    切込線
３２    切込線
【図１】
0003118214.tif 000003
【図２】
0003118214.tif 000004
【図３】
0003118214.tif 000005
【図４】
0003118214.tif 000006
【図５】
0003118214.tif 000007
【図６】
0003118214.tif 000008
【図７】
0003118214.tif 000009
【図８】
0003118214.tif 000010
【図９】
0003118214.tif 000011
【図１０】
0003118214.tif 000012
【図１１】
0003118214.tif 000013
【図１２】
0003118214.tif 000014
【図１３】
0003118214.tif 000015